【事件の表示】
　上記当事者間の特許第５８４７９０４号発明「美容器」の特許無効審判事件について、次のとおり審決する。
【結　論】
　本件審判の請求は、成り立たない。
　審判費用は、請求人の負担とする。
【理　由】
第１　手続の経緯
　本件特許５８４７９０４号（以下、「本件特許」という。）についての出願は、平成２３年１１月１６日に出願した特願２０１１−２５０９１５号の一部を平成２６年９月２６日に新たな特許出願としたものであって、平成２７年１２月４日にその請求項１ないし２にかかる発明について特許の設定登録がなされた。
　その後、請求人（株式会社ファイブスター）より平成２９年８月１日付けで請求項１ないし２に係る発明についての特許を無効とする審決を求める無効審判の請求がなされ、被請求人（株式会社ＭＴＧ）より平成２９年１０月２０日付け審判事件答弁書が提出され、請求人より平成３０年１月１２日付け口頭審理陳述要領書が提出され、被請求人より同日付け口頭審理陳述要領書が提出され、請求人より平成３０年１月２６日付け口頭審理陳述要領書が提出され、被請求人より同日付け口頭審理陳述要領書が提出され、平成３０年１月２６日に口頭審理が行われた。
第２　本件特許発明
　本件特許の請求項１ないし２に係る発明（以下、「本件特許発明１」などという。）は、特許請求の範囲の請求項１ないし２に記載された事項により特定される、次のとおりのものである。
「【請求項１】
　基端においてハンドルに抜け止め固定された支持軸と、
　前記支持軸の先端側に回転可能に支持された回転体とを備え、その回転体により身体に対して美容的作用を付与するようにした美容器において、
　前記回転体は基端側にのみ穴を有し、回転体は、その内部に前記支持軸の先端が位置する非貫通状態で前記支持軸に軸受け部材を介して支持されており、
　軸受け部材は、前記回転体の穴とは反対側となる先端で支持軸に抜け止めされ、
　前記軸受け部材からは弾性変形可能な係止爪が突き出るとともに、軸受け部材は係止爪の前記基端側に鍔部を有しており、同係止爪は前記先端側に向かうほど軸受け部材における回転体の回転中心との距離が短くなる斜面を有し、
　前記回転体は内周に前記係止爪に係合可能な段差部を有し、前記段差部は前記係止爪の前記基端側に係止されるとともに前記係止爪と前記鍔部との間に位置することを特徴とする美容器。
【請求項２】
　前記軸受け部材は合成樹脂製であることを特徴とする請求項１に記載の美容器。」
第３　請求人の主張の概要
　請求人が主張する無効理由の概要及び提出した証拠方法は、以下のとおりである。
１　請求人の主張
（１）無効理由１
　本件特許発明１及び２は、甲第１号証の１に記載された発明、甲第２号証、甲第１２号証又は第１３号証の１に記載された発明、甲第３号証の１に記載された発明、及び、甲第４号証又は甲第５号証に記載された発明に基づいて、出願前に当業者が容易に発明することができたものであるから、特許法第２９条第２項の規定により特許を受けることができないものであり、その特許は同法第１２３条第１項第２号に該当し、無効とすべきである。
（２）無効理由２
　本件特許発明１及び２は、甲第１号証の１に記載された発明、甲第２号証、甲第１２号証又は第１３号証の１に記載された発明、甲第３号証の１に記載された発明、甲第４号証又は甲第５号証に記載された発明、及び、甲第６号証に記載された事項に基づいて、出願前に当業者が容易に発明することができたものであるから、特許法第２９条第２項の規定により特許を受けることができないものであり、その特許は同法第１２３条第１項第２号に該当し、無効とすべきである。
（３）無効理由３
　本件特許発明１及び２は、甲第１号証の１に記載された発明、甲第２号証、甲第１２号証又は第１３号証の１に記載された発明、甲第３号証の１に記載された発明、甲第４号証又は甲第５号証に記載された発明、甲第６号証に記載された事項、及び、甲第７号証ないし甲第１１号証に記載された事項に基づいて、出願前に当業者が容易に発明することができたものであるから、特許法第２９条第２項の規定により特許を受けることができないものであり、その特許は同法第１２３条第１項第２号に該当し、無効とすべきである。
２　請求人が提出した証拠方法
　請求人が提出した証拠方法は、以下のとおりである。
甲第１号証の１：欧州特許出願公開第０６７４８９４号の写し（以下、「写し」である旨の表記は省略する。）
甲第１号証の２：欧州特許出願公開第０６７４８９４号の翻訳文
甲第１号証の３：翻訳にあたってのコメント
甲第２号証：国際特許公開第２０１１／００４６２７号
甲第３号証の１：米国特許出願公開第２０１０／１９１１６１号
甲第３号証の２：米国特許出願公開第２０１０／１９１１６１号の翻訳文
甲第３号証の３：コメント
甲第４号証：登録実用新案第３１５９２５５号公報
甲第５号証：特開２０１０−１３１０９０号公報
甲第６号証：日本接着学会誌Vol.43 No.4,P149-157,「綜説　組立/分解性を考慮したスナップフィット設計およびバーチャルリアリティ環境における製品評価」，表紙，目次，奥付
甲第７号証：特開２００２−３４０００１号公報
甲第８号証：実願昭５７−９８１６５号（実開昭５９−４８１９号）のマイクロフィルム
甲第９号証：実公平８−９４５５号公報
甲第１０号証：実願昭５９−２００８２５号（実開昭６１−１１２１２０号）のマイクロフィルム
甲第１１号証：特開昭６１−２４４９２３号公報
甲第１２号証：登録実用新案第３１６６２０２号公報
甲第１３号証の１：中国実用新案明細書第２０１８１４８０６号
甲第１３号証の２：中国実用新案明細書第２０１８１４８０６号の翻訳文
甲第１３号証の３：翻訳物に関するコメント
甲第１４号証の１：欧州特許出願公開第０３４６９４２号
甲第１４号証の２：欧州特許出願公開和文抄録第０３４６９４２号
第４　被請求人の主張の概要
　被請求人の主張の概要は以下のとおりである。
１　被請求人の主張
（１）本件特許発明１及び２は、甲第１号証の１に記載された発明、甲第２号証、甲第１２号証又は第１３号証の１に記載された発明、甲第３号証の１に記載された発明、及び、甲第４号証又は甲第５号証に記載された発明に基づいて、出願前に当業者が容易に発明することができたものではない。（審判事件答弁書第５頁１４ないし１６行）
（２）本件特許発明１及び２は、甲第１号証の１に記載された発明、甲第２号証、甲第１２号証又は第１３号証の１に記載された発明、甲第３号証の１に記載された発明、甲第４号証又は甲第５号証に記載された発明、及び、甲第６号証に記載された事項に基づいて、出願前に当業者が容易に発明することができたものではない。（審判事件答弁書第５頁１７ないし２０行）
（３）本件特許発明１及び２は、甲第１号証の１に記載された発明、甲第２号証、甲第１２号証又は第１３号証の１に記載された発明、甲第３号証の１に記載された発明、甲第４号証又は甲第５号証に記載された発明、甲第６号証に記載された事項、及び、甲第７号証ないし甲第１１号証に記載された事項に基づいて、出願前に当業者が容易に発明することができたものではない。（審判事件答弁書第５頁２１ないし２４行）
第５　当審の判断
１　引用刊行物の記載内容
（１）甲第１号証の１
ア　甲第１号証の１に記載された事項
　甲第１号証の１には、次の事項が記載されている。なお、括弧内の日本語は、請求人による仮訳に準じたものである。
（ア）「
」
（（５４）【発明の名称】マッサージ器
（５７）【要約】
　
マッサージ器はハンドグリップ（１）を有し、該ハンドグリップ（１）は、その上にマッサージローラ（４）を回動可能に軸支する軸（２）を支持する。当該マッサージローラ（４）は柔軟に変形可能な中空ローラとして形成され、軸（２）上の一方の側に片持ちで支持される。当該マッサージローラ（４）はさらに、グリップ（１）の反対側で軸（２）から突出する。
（イ）「
」（第１欄１ないし５行）
（本発明は、ハンドグリップを有するマッサージ器に関し、該ハンドグリップが、その外装面上に個々のマッサージ突起を備えるマッサージローラを、その上に回動可能に軸支する軸を支持するマッサージ器に関する。）
（ウ）「
 
」（第１欄６ないし３６行）
（上記のようなマッサージ器は例えば欧州特許第０２８２１７３号明細書に記載されている。このマッサージ器の場合、マッサージローラはその両端がグリップのフォークのアーム内に支持される。これによって非常に安定した軸受けが生じ、それはマッサージ器を大きな身体面のマッサージに使用するとき、及びそのとき著しい力を行使したいとき有利である。しかしこの公知のマッサージ器を顔のマッサージに使用すると、その前に片方のアームと突起した身体部分がぶつかるために、マッサージローラを支持するアームにより、マッサージローラを突起した身体部分の近くまで導くことができない点が不利であることに気づくであろう。
　欧州特許出願公開０３４６９４２号明細書もすでに、単一のローラ体を支持する軸がグリップに対して一直線上に配置されたマッサージ器を記載している。そのような機器は例えば鼻または目の領域の比較的近くまで転動することができる。しかしそのときローラ体を超えるまで延びる軸の自由前端面で突起した身体部分に達すると、肌を損傷しうる危険が生じる。
　
本発明の課題は、冒頭で述べた種類のマッサージ器を、マッサージローラで、怪我の危険性を生じさせずに、突起した身体部分に可能な限り近くに達することができるように形成することにある。
（エ）「
」（第１欄３７ないし４２行）
（この課題は本発明によって、マッサージローラが柔軟に変形する中空ローラとして形成され、軸上の一方の側に片持ちで支持され、及びマッサージローラがグリップの反対側で軸から突出することによって解決される。）
（オ）「
」（第１欄４３行ないし第２欄３行）
（そのようなマッサージ器の場合、部材がグリップの反対側のマッサージローラの前端面を超えて突出することはない。そのためマッサージローラをその自由前端面とともに直接突起する身体部分まで導くことができる。
マッサージローラが中空ローラから形成されており、弾性材料から成るため、その軸を超えて突出する自由端部は柔軟に変形されることができ、それによってマッサージローラは身体輪郭に適応することができ、それはマッサージの効果を改善し、急な方向転換を伴う、例えば鼻領域または眼窩の始まる領域などの主要部分に達する可能性を促進する。本発明のマッサージ器により、怪我の危険性なく、例えば目のすぐ近くまで肌にロールマッサージを施すことが可能になる。
（カ）「
」（第２欄４ないし１４行）
（本発明の有利な発展形態により
軸上に鞘が回動可能に軸支され、この鞘の上に鞘に対して回動不能にマッサージローラが保持されるとき、構造的に特に簡単にマッサージ器が形成される。
（キ）「
」（第２欄１５ないし２３行）
（
本発明の別の発展形態により、マッサージローラの内径が鞘と軸から突出する領域で他の領域より大きいとき、マッサージローラの自由端は特に容易く柔軟に変形可能である。
（ク）「
」（第２欄２９ないし３７行）
（
鞘がその外装面に周囲を巡る隆起を、それに対応して、マッサージローラがその内装面に周囲を巡る凹部を備えるとき、マッサージローラの鞘上での軸方向保持は非常に簡単にスナップ結合によって行われる。この実施形態は摩滅した際、または清掃のために、マッサージローラを容易に交換することを可能とする。
（ケ）「
」（第２欄５１行ないし第３欄３行）
（
図１で全体として示されるマッサージ器はグリップ１に共軸に軸２を有し、それに回動可能に鞘３が軸支される。この鞘３上に中空筒によって形成されたマッサージローラ４が着座する。本発明にとって重要なのは、マッサージローラ４が軸２の自由端を超えて突出すること、及び弾性材料から成ることである。軸２がその自由端に、鞘３をグリップ１の端部とそれ自体の間で軸方向に固定するヘッド５を有することが、付加的に図１で見ることができる。
（コ）「
」（第３欄４ないし１７行）
（
図２は図１に対して、マッサージローラ４がその外装面上に、転動の際に肌の上にマッサージ効果を与える先の尖った突起６を有することを拡大図で示す。図２の右領域では、マッサージローラ４の内径が一領域の一端部で他の領域に対して直径拡大部７で大きくなっていることが見てとれる。この直径拡大部７内に図１で示された軸２のヘッド５が着座する。直径拡大部７に向き合う端部の近くの、マッサージローラ４の内装面に周囲を巡る凹部８がある。
（サ）「
」（第３欄２５ないし３０行）
（図４では、鞘３がその長さの大部分に渡り、それを完全に貫通する縦溝９を有することが見てとれる。
さらに図４には、マッサージローラ４を押し開けると凹部８に達する周囲を巡る隆起１０が示される。
イ　引用発明１
（シ）甲第１号証のＦｉｇ．１より、軸２が基端においてグリップ１に支持されていることは明らかである。
（ス）上記記載事項（オ）には、「マッサージローラは身体輪郭に適用することができ」、「肌にロールマッサージを施すことができる」なる記載があり、また、上記記載事項（コ）には、「転動の際に肌の上にマッサージ効果を与える先の尖った突起６を有する」なる記載があることより、“マッサージローラ４により身体に対してマッサージ効果を付与する”ことは明らかである。
（セ）上記記載事項（ケ）には、「中空筒によって形成されたマッサージローラ４」なる記載があり、また、Ｆｉｇ．１及びＦｉｇ．２を考慮するに、“マッサージローラ４が基端側及び先端側に穴を有している”ことは明らかである。
（ソ）上記記載事項（ケ）には、「マッサージローラ４が軸２の自由端を超えて突出する」なる記載があり、また、Ｆｉｇ．１を考慮するに、“マッサージローラ４がその内部に軸２の先端が位置する貫通状態である”ことは明らかである。
（タ）上記記載事項（カ）には、「軸上に鞘が回動可能に軸支され、この鞘の上に鞘に対して回動不能にマッサージローラが保持される」なる記載があり、このことより、“マッサージローラ４は、軸２に鞘３を介して軸支されている”と認められる。
（チ）上記記載事項（ケ）には、「軸２がその自由端に、鞘３をグリップ１の端部とそれ自体の間で軸方向に固定するヘッド５を有することが、付加的に図１で見ることができる。」なる記載があり、また、Ｆｉｇ．１を考慮するに、“鞘３を軸方向に固定する”とは“鞘３が軸２に抜け止めされている”ことを意味していると認められ、“軸２”の“自由端”とは“マッサージローラ４の基端側の穴とは反対側となる先端”に他ならないものと認められる。
　よって、上記記載は、“鞘３は、マッサージローラ４の基端側の穴とは反対側となる先端で軸２に抜け止めされ”ることを意味すると認められる。
（ツ）上記記載事項（サ）には、「さらに図４には、マッサージローラ４を押し開けると凹部８に達する周囲を巡る隆起１０が示される。」なる記載があり、また、Ｆｉｇ．４を考慮するに、“鞘３からは隆起１０が突き出”ているものと認められる。
（テ）Ｆｉｇ．１及びＦｉｇ．４によれば、鞘３は隆起１０の基端側に鍔状の膨径部を有していることが認められ、即ち、“鞘３は隆起１０の基端側に鍔部を有して”いるものと認められる。
（ト）Ｆｉｇ．１によれば、隆起１０と鍔部との間にマッサージローラ４の段差状となっている内周側の一部が配置されていることが認められ、即ち、“マッサージローラ４が内周に段差部を有する”こと、及び、“隆起１０と鍔部との間に段差部が配置される”ものと認められる。
（ナ）上記記載事項（サ）には、「さらに図４には、マッサージローラ４を押し開けると凹部８に達する周囲を巡る隆起１０が示される。」との記載があり、また、Ｆｉｇ．１によれば、隆起１０と凹部８とがはめ合っていることが示されている。
　そして、当該はめ合いの結果、上記（ト）の段差部は、隆起１０と係合可能であり、隆起１０の基端側に係止されるものとなっていることは明らかである。
　上記記載事項（ア）ないし（サ）及び上記認定事項（シ）ないし（ナ）を、図面を参照しつつ技術常識を踏まえて整理すると、甲第１号証の１には、以下の引用発明１が記載されていると認める。
「基端においてグリップ１に支持された軸２と、軸２に回動可能に軸支されたマッサージローラ４とを備え、そのマッサージローラ４により身体に対してマッサージ効果を付与するようにしたマッサージ器において、
　マッサージローラ４は基端側及び先端側に穴を有し、マッサージローラ４は、その内部に軸２の先端が位置する貫通状態で軸２に鞘３を介して軸支されており、
　鞘３は、マッサージローラ４の基端側の穴とは反対側となる先端で軸２に抜け止めされ、
　鞘３からは隆起１０が突き出るとともに、
　鞘３は隆起１０の基端側に鍔部を有しており、
　マッサージローラ４は内周に隆起１０に係合可能な段差部を有し、段差部は隆起１０の基端側に係止されるとともに隆起１０と鍔部との間に位置するマッサージ器。」
（２）甲第２号証
ア　甲第２号証に記載された事項
（ア）「[0018]
　図１〜図３に示すように、この実施形態の美容器１１は、平面形状が略Ｙ字状をなすハンドル１２を備えており、このハンドル１２は、使用者の手によって把持される棒状の把持部１２ｂと、この把持部１２ｂの先端に形成された二叉部１２ａとを有している。ハンドル１２は、合成樹脂よりなる電気絶縁の芯材１３と、一対の外装カバー１４とから構成されている。外装カバー１４，１５は、合成樹脂材料より形成され、芯材１３の外周に被覆されて複数のネジ１６により同芯材１３に固定されている。外装カバー１４，１５の外表面には、導電金属メッキが施されている。ここで、外装カバー１４，１５の外壁は、ハンドル１２の導電部を構成している。
[0019]
　図１及び図４に示されるように、前記ハンドル１２の芯材１３において二叉部１２ａに対応する部分には、一対のローラ支持軸１７が設けられている。これらのローラ支持軸１７の基端部（図４の右側の端部）は芯材１３の中心部に形成された空間に嵌入され、同ローラ支持軸１７の先端部（図４の左側の端部）は、二叉部１２ａから突出している。なお、図４において、ローラ支持軸１７は、切断されていない状態で示されている。こうした構造により、これらのローラ支持軸１７は、外装カバー１４，１５と接触しない離間状態で芯材１３の先端部に支持されており、ハンドル１２の外表面の導電金属メッキとローラ支持軸１７とは、電気的に絶縁されている。ローラ支持軸１７は金属材料により形成され、その両端部にはネジ部１７ａが形成されている。
[0020]
　図１及び図４に示すように、前記両ローラ支持軸１７には、円筒状をなすローラ１８がそれぞれ各一対の軸受１９を介して回転可能に支持されている。これらの軸受１９は、磁性のある金属材料により構成されている。ローラ支持軸１７の先端のネジ部１７ａには、ローラ１８がローラ支持軸１７から抜けることを防止するための雌ネジ部材２０が螺合されている。各ローラ１８は、合成樹脂よりなり、その外周面及び内周面に導電金属材料よりなる導電メッキが施されている。ここで、両ローラ１８の内外両壁は、同ローラ１８の導電部を構成している。」
（３）甲第３号証の１
ア　甲第３号証の１に記載された事項
　甲第３号証の１には、次の事項が記載されている。なお、括弧内の日本語は、請求人による仮訳に準じたものである。
（ア）「
」
（【００１８】
　本発明によるエクササイズ器具は、任意の好適なタイプのエクササイズ器具として構成することができる。
例えば、器具は、例えばマッサージ器具等の筋骨格処置器具として構成することができ、それによって、器具のモジュールのうちの１つ又は複数が、自身の身体の１つ又は複数の特定の筋肉又はトリガポイントに圧力を加え、マッサージすることが可能である。
（イ）「
」
（【００２０】
　エクササイズ器具が構成される器具の特定のタイプに関係なく、器具は、それらの特定の必要性及び要件に合うようにユーザによって構成することができる。例えば、エクササイズ器具がマッサージ器具として構成される場合、マッサージ器具は、様々な人々に合うように、又は、人の身体の特定の部分をマッサージするために使用することができるように、複数の様々な方法で構成することができる。）
（ウ）「
」
（【００６８】
　　【図１２】自身の上部胸椎並びに自身の上部僧帽筋及び肩甲挙筋を同時にマッサージするように、本発明の第１の好ましい実施形態によるエクササイズ器具を使用する人を示す図である。）
（エ）「
」
（【０１１６】
　
図１７を参照すると、本発明の第２の好ましい実施形態によるエクササイズ器具のロッドモジュール１００が実質的に円筒形の形状である。
（オ）「
」
（【０１１９】
　複数の等間隔に離間した平行な円形開口１０６が、ロッドモジュール１００を通って横方向に延びる。開口１０６は、モジュール１００を通って延びる開口１０５に対して垂直である。また、開口１０６は開口１０５に交差する。
（カ）「
」
（【０１２８】
　
本発明の第２の好ましい実施形態による多機能エクササイズ器具の小さい球状のボールモジュール１３０が、図１９及び図２０に示されている。
（キ）「
」
（【０１３０】
　
モジュール１３０は、モジュール１３０の中心を通るようにモジュール１３０を貫通する円形開口１３１を含む。
（ク）「
」
（【０１３１】
　開口１３１及び１３２は、それらの長さとは別に、互いに同一である。各開口１３１、１３２は、より幅広の部分１３４の下に凹んだより幅狭の部分１３３を含む。より幅狭の部分１３３は、より幅広の部分１３４からより幅狭の部分１３３内に延びる４つの平行な周方向に離間した溝１３５を含む。）
（ケ）「
」
（【０１５１】
　
図２９は、モジュール１００、１２０、１３０、１４０のうちの２つを任意の組み合わせで一緒に固定するために使用することができるプラグ２００を示している。プラグ２００は、プラスチックから製造され、２つの円筒部分２０２間に位置付けられる円形のフランジ２０１を含む。それぞれのより幅狭の円筒部分２０３が、円筒部分２０２のそれぞれから延びる。より幅狭の部分２０３のそれぞれは、１対の直径方向に対向する弾性的なラッチアーム２０４を含む。各ラッチアーム２０４は、アーム２０４の端に位置付けられ、プラグ２００から外方に延びる突起２０５を含む。円形開口２０６が、プラグ２００の一端からプラグ２００の他端まで延びる。
（コ）「
」
（【０１５２】
　
２つのモジュール１００、１２０、１３０、１４０を、プラグ２００の各端を各モジュールのそれぞれの開口に挿入することによって、プラグ２００と一緒に着脱可能に固定することができる。
（サ）「
」
（【０１５３】
　
プラグ２００が開口に挿入されると、開口のより幅狭の部分が各ラッチアーム２０４の突起２０５に対して押圧されることで、弾性的なラッチアーム２０４が互いに向かって移動する。プラグ２００が開口に完全に挿入されると、突起２０５は、ラッチアーム２０４がそれらの元の位置に跳ねてラッチ凹部と噛み合うように開口のラッチ凹部によって受け入れられる。ラッチアーム２０４及びラッチ凹部はしたがって、プラグ２００がモジュールの開口から意図せず引き出されることを阻止することが可能である。
（シ）「
」
（【０１５５】
　
ラッチアーム２０４及びラッチ凹部は、プラグ２００が開口から意図せず引き出されることを阻止することが可能であるが、プラグ２００は、それにもかかわらず、ラッチアーム２０４及びラッチ凹部が互いに噛み合う場合であっても開口に対して依然として回転することが可能である。
（ス）「
」
（【０１６０】
　図３１は、プラグ２００と同様のプラグ２２０を示している。便宜上、プラグ２００、２２０の同様の特徴は、同様の参照符号を用いて言及されている。
【０１６１】
　プラグ２２０は、そのより幅狭の円筒部分２０３がプラグ２００のより幅狭の円筒部分よりも長いという点でプラグ２００とは異なる。また、プラグ２２０の円筒部分２０３は複数の溝２０４をそれぞれ含む。）
（セ）「
」
（【０１６２】
　プラグ２００の円筒部分２０３とは異なり、プラグ２２０の円筒部分２０３は、モジュール１００、１２０、１３０、１４０のうちの１つの開口に挿入されるときに、その開口に交差するモジュールの他の開口を塞ぐことが可能であるように十分に長い。さらに、プラグ２２０の付加的な長さは、プラグ２００と比較して、一部を形成する器具を補強することがより良く可能であることを意味する。）
（ソ）「
」
（【０１６５】
　
図３３を参照すると、本発明の第２の好ましい実施形態による多機能エクササイズ器具のロックピン２４０が、細長い円筒シャフト２４１を含む。
　【０１６６】
　ロックピン２４０のシャフト２４１の第１の部分２４２の直径は、モジュール１００、１２０、１３０、１４０及びプラグ１５４、２００、２１０、２２０及び２３０を通って延びる開口の直径よりも僅かに小さいため、シャフト２４１は、それらの開口を通して挿入されることが可能である。）
（タ）「
」
（【０１６８】
　
ロックピン２４０のシャフト２４１が、モジュール１００、１２０、１３０、１４０のうちの１つの開口にそれ自体が挿入されたプラグ１５４、２００、２１０、２２０又は２３０に挿入されると、シャフト２４１は、プラグのラッチアームがモジュールの開口のラッチ凹部と離脱することを防止することが可能である。ロックピン２４０は、ラッチアームがラッチ凹部と離脱することを防止することによって、プラグが開口から意図せず取り外されることを防止するか又は少なくとも更に阻止することが可能である。
　【０１６９】
　
図３４は、ロックピン２４０のシャフト２４１が、開口１４１の一端を通して中間のボールモジュール１４０に、及び、モジュール１４０に対して固定されるようにそれ自体が開口１４１の他端に挿入されているプラグ２００の開口２０６に挿入されているときのロックピン２４０を示している。
（チ）「
」
（【０１７０】
　
開口１４１によって受け入れられるプラグ２００のラッチアーム２０４の突起２０５は、開口１４１内に位置付けられるラッチ凹部２５０によってそれぞれ受け入れられるため、プラグ２００はそれによって、開口１４１から引き出されることが阻止される。ロックピン２４０のシャフト２４１は、ラッチアーム２０４が互いに向かって押されて突起２０５をラッチ凹部２５０から取り外すことを防止する。
イ　技術事項３
（ツ）上記記載事項（ケ）に、「図２９は、モジュール１００、１２０、１３０、１４０のうちの２つを任意の組み合わせで一緒に固定するために使用することができるプラグ２００を示している。」なる記載があり、かつ、上記記載事項（サ）に、「プラグ２００が開口に挿入されると、開口のより幅狭の部分が各ラッチアーム２０４の突起２０５に対して押圧されることで、弾性的なラッチアーム２０４が互いに向かって移動する。プラグ２００が開口に完全に挿入されると、突起２０５は、ラッチアーム２０４がそれらの元の位置に跳ねてラッチ凹部と噛み合うように開口のラッチ凹部によって受け入れられる。」なる記載が、上記記載事項（シ）に、「ラッチアーム２０４及びラッチ凹部が互いに噛み合う場合であっても開口に対して依然として回転することが可能である」なる記載があることより、“モジュール１３０，１４０がプラグ２００に回転可能に支持される”と認められる。
　また、上記記載事項（ソ）には、「ロックピン２４０のシャフト２４１の第１の部分２４２の直径は、モジュール１００、１２０、１３０、１４０及びプラグ１５４、２００、２１０、２２０及び２３０を通って延びる開口の直径よりも僅かに小さいため、シャフト２４１は、それらの開口を通して挿入されることが可能である。」なる記載があり、“ロックピン２４０が、プラグ２００の開口を通して挿入されるものである”と認められる。
　よって、これらの記載より、甲第３号証の１には、“ロックピン２４０にプラグ２００を介して回転可能に支持されたモジュール１３０，１４０”が記載されていると認められる。
（テ）上記記載事項（ケ）には、「図２９は、・・・プラグ２００を示している。プラグ２００は、・・・円形のフランジ２０１を含む」なる記載があり、また、図２９を考慮するに、“フランジ２０１が、ラッチアーム２０４の基端側にある”ことは明らかである。
（ト）上記記載事項（ケ）には、「図２９は、・・・プラグ２００を示している。プラグ２００は、・・・２つの円筒部分２０２間に位置付けられる円形のフランジ２０１を含む。それぞれのより幅狭の円筒部分２０３が、円筒部分２０２のそれぞれから延びる。より幅狭の部分２０３のそれぞれは、１対の直径方向に対向する弾性的なラッチアーム２０４を含む。各ラッチアーム２０４は、アーム２０４の端に位置付けられ、プラグ２００から外方に延びる突起２０５を含む。」なる記載があり、また、図２９を考慮するに、ラッチアーム２０４の突起２０５は、先端側に向かうほどプラグ２００におけるモジュール１３０，１４０の回転中心との距離が短くなる斜面を有していることは明らかである。
　よって、甲第３号証の１には、“ラッチアーム２０４の突起２０５は先端側に向かうほどプラグ２００におけるモジュール１３０，１４０の回転中心との距離が短くなる斜面を有”することが記載されていると認められる。
（ナ）上記記載事項（タ）に、「図３４は、ロックピン２４０のシャフト２４１が、開口１４１の一端を通して中間のボールモジュール１４０に、及び、モジュール１４０に対して固定されるようにそれ自体が開口１４１の他端に挿入されているプラグ２００の開口２０６に挿入されているときのロックピン２４０を示している。」なる記載が、上記記載事項（チ）に、「開口１４１によって受け入れられるプラグ２００のラッチアーム２０４の突起２０５は、開口１４１内に位置付けられるラッチ凹部２５０によってそれぞれ受け入れられる」なる記載があり、また、図３４を考慮するに、“モジュール１４０が、内周に、ラッチ凹部を有すること”が記載されていると認められる。
　上記記載事項（ア）ないし（チ）及び上記認定事項（ツ）ないし（ナ）を、図面を参照しつつ技術常識を踏まえて整理すると、甲第３号証の１には、以下の技術事項３が記載されていると認める。
「ロックピン２４０にプラグ２００，２２０を介して回転可能に支持されたモジュール１４０により、身体をマッサージするマッサージ器において、プラグ２００は、外方に延びる突起２０５を含む弾性的なラッチアーム２０４を含むと共に、プラグ２００は、ラッチアーム２０４の基端側にフランジ２０１を有しており、ラッチアーム２０４の突起２０５は先端側に向かうほどプラグ２００におけるモジュール１４０の回転中心との距離が短くなる斜面を有し、モジュール１４０は、内周に、ラッチアーム２０４と噛み合うラッチ凹部を有すること。」
（４）甲第４号証
ア　甲第４号証に記載された事項
（ア）「【００１２】
　また、
前記ローラ部は、磁石、特にフェライトインジェクション磁石からなる円筒状のもので、その先端部は、球面突出状に形成されることを特徴とする。
【００１３】
　
これによって、ローラ部の先端が球面突出状に形成されることから、ローラ部端部で顔面等の皮膚を刺激することも可能となるものである。
（イ）「【００１９】
　以下、本考案の実施例について、具体的に説明する。
本考案に係るマグネット美容ローラ１は、図１に示すように、柄本体部２と、ローラ部５とによって構成される。
【００２０】
　前記柄本体部２は、本実施例では亜鉛合金によって成形され、図２及び図３に示されるように、使用者によって保持される把持部３と、この把持部３から一方の側に角度αで、例えば手前側に傾斜すると共に、角度βで両側に広がるように延出するローラ保持部４とによって構成され、さらにローラ保持部４は、前記把持部３から分かれて延出する大径部４ａと、その先端に一体に形成された小径部４ｂとによって構成される。この小径部４ｂには、下記するベアリング８が固着される。また、前記把持部３は、一端側の前記ローラ保持部４の分岐部分から他端側に向けて漸次大きくなるように形成され、持ちやすさを向上させるものである。さらに、把持部３の断面は、この実施例では長円形状に形成されるものであるが、円形であっても良いものである。」
（ウ）「【００２２】
　
前記ローラ部５は、図４に示すように、フェライトインジェクション磁石から円筒状に形成され、一端に球面状に突出する先端部５１を一体に具備するローラ本体部５０と、このローラ本体部５０の側面５２に装着された複数の樹脂リング６とによって構成される。
（エ）「【００２３】
　
また、前記ローラ部５のローラ本体部５０には、軸方向に形成された小径孔５３と大径孔５４とが連設され、小径孔５３には前記ローラ保持部４の小径部４ｂが挿通され、大径孔５４には前記小径部４ｂに固着されたベアリング８が挿入され、前記大径孔５４の内周面に固定される。これによって、前記ローラ部５は、前記ローラ保持部４に対して回転自在に保持されるものである。」
（オ）「【００２４】
　
以上に説明した構造によって、本考案に係るマグネット美容ローラ１は、把持部３を持ち、ローラ部５を顔などの皮膚に当てて移動させることによって、ローラ部５の凹凸及び磁気によって使用者の皮膚を刺激することができるものである。
イ　技術事項４
（カ）上記記載事項（エ）には、「前記ローラ部５は、前記ローラ保持部４に対して回転自在に保持されるものである」なる記載があり、また、【図１】ないし【図３】を考慮するに、“ローラ部５が、ローラ保持部４の先端側に回転自在に保持され”ていることは明らかである。
（キ）上記記載事項（エ）には、「前記ローラ部５のローラ本体部５０には、軸方向に形成された小径孔５３と大径孔５４とが連設され、小径孔５３には前記ローラ保持部４の小径部４ｂが挿通され、大径孔５４には前記小径部４ｂに固着されたベアリング８が挿入され、前記大径孔５４の内周面に固定される。」なる記載があり、また、【図１】及び【図４】を参酌するに、“ローラ部５が基端側にのみ穴を有し、その内部にローラ保持部４の先端が位置する非貫通状態でローラ保持部４に支持されていること”は明らかである。
（ク）上記記載事項（エ）には、「前記ローラ部５のローラ本体部５０には、軸方向に形成された小径孔５３と大径孔５４とが連設され、小径孔５３には前記ローラ保持部４の小径部４ｂが挿通され、大径孔５４には前記小径部４ｂに固着されたベアリング８が挿入され、前記大径孔５４の内周面に固定される」なる記載があり、“ローラ部５が、ベアリング８を介してローラ保持部４に支持されていること”は明らかである。
　上記記載事項（ア）ないし（オ）及び上記認定事項（カ）ないし（ク）を、図面を参照しつつ技術常識を踏まえて整理すると、甲第４号証には、以下の技術事項４が記載されていると認める。
「ローラ保持部４の先端側に回転自在に保持されたローラ部５を備え、ローラ部５により皮膚を刺激することができるようにした美容ローラにおいて、ローラ部５は、フェライトインジェクション磁石から形成され、ローラ部５は基端側にのみ穴を有し、ローラ部５は、その内部にローラ保持部４の先端が位置する非貫通状態でローラ保持部４にベアリング８を介して支持されていること。」
（５）甲第５号証
ア　甲第５号証に記載された事項
（ア）「【０００１】
　
本発明は、ゲルマニウムの半導体を、肌アレルギーを起こし難いチタニウム製ローラーに突設し、このローラーを顔面に接触させ回転させて美顔にする美顔用マッサージ器に関するものである。
（イ）「【００１０】
　
本発明は、ローラー部と、把手部と、ローラー部と把手部とを連結する連結軸部とよりなる美顔用マッサージ器であって、ローラー部はチタニウム製円筒形ローラーでローラーの先端を閉塞し、ローラーの円周を４等分した外周面の軸線方向に円弧溝を刻設してローラーの外周面に４個の凸面を形成し、凸面に小穴を凹設し、前記小穴に表面を研磨したゲルマニウム粒子を突設し、ローラーの先端面にも表面を研磨したゲルマニウム粒子を突設し、ローラー外周面のゲルマニウム粒子と相隣る凸面のゲルマニウム粒子とを軸線方向で同位置にならないようにずらして配置した美顔用マッサージ器である。
【００１１】
　本発明の美顔用マッサージ器は、ローラー部１と、把手部２と、ローラー部１と把手部２とを連結する連結軸部３とよりなる。」
（ウ）「【００１６】
　
把手５の中空部１０には把手５の先端中央から突出させた連結軸部３の連結軸１１を突出させ、連結軸１１の先端部にベアリング１２を圧入し、連結軸１１の基端にはＬ型ベアリング１３を回転自在に嵌着し、円周溝１４に座金１５を嵌めてＬ型ベアリング１３を連結軸１１に固着し、この連結軸部３をローラー４の中空部１０に、ベアリング１２を回転自在で、Ｌ型ベアリング１３を圧入して挿入する。ローラー部１と連結軸部３の構成は至極単純であるが、連結するという目的が達成できる。
イ　技術事項５
（エ）上記記載事項（ウ）には、「把手５の中空部１０には把手５の先端中央から突出させた連結軸部３の連結軸１１を突出させ、連結軸１１の先端部にベアリング１２を圧入し、連結軸１１の基端にはＬ型ベアリング１３を回転自在に嵌着し、円周溝１４に座金１５を嵌めてＬ型ベアリング１３を連結軸１１に固着し、この連結軸部３をローラー４の中空部１０に、ベアリング１２を回転自在で、Ｌ型ベアリング１３を圧入して挿入する。ローラー部１と連結軸部３の構成は至極単純であるが、連結するという目的が達成できる。」なる記載があり、“ローラー４が、連結軸１１の先端部に回転可能に支持された”ものであること、及び、“ローラー４が、連結軸１１にＬ型ベアリング１３及びベアリング１２を介して支持されていること”は明らかである。
（オ）上記記載事項（イ）には、「ローラー部はチタニウム製円筒形ローラーでローラーの先端を閉塞し」なる記載があり、“ローラー４が基端側にのみ穴を有し”ていることは明らかである。
（カ）上記認定事項（エ）及び（オ）、及び、【図６】を考慮するに、“ローラー４が、その内部に連結軸１１の先端が位置する非貫通状態で連結軸１１に支持されていること”は明らかである。
　上記記載事項（ア）ないし（ウ）及び上記認定事項（エ）ないし（カ）を、図面を参照しつつ技術常識を踏まえて整理すると、甲第５号証には、以下の技術事項５が記載されていると認める。
「連結軸１１の先端部に回転可能に支持されたローラー４を備え、ローラー４を顔面に接触させ回転させて美顔にする美顔用マッサージ器において、ローラー４はチタニウム製であり、ローラー４は基端側にのみ穴を有し、ローラー４は、その内部に連結軸１１の先端が位置する非貫通状態で連結軸１１にＬ型ベアリング１３及びベアリング１２を介して支持されていること。」
（６）甲第６号証
ア　甲第６号証に記載された事項
（ア）「２．７　スナップフィットの分類」（第【１５１】頁右欄第２５行目）
（イ）「（２）ロック　ロックは柔軟性を必要とするために強度が低くなりやすい。そのためロックは取付け方向と反対の方向に拘束する場合に使用され、他の方向はロケータにより拘束する場合が多い。ロックは図８に示す５種類に分類できる。」（第【１５２】頁右欄６ないし１０行）
（ウ）「（ａ）カンチレバーロック　
カンチレバーロックは最も一般的なスナップフィットであり，図９に示すように，組立／分解を可能にするための撓み部と拘束するための保持部から構成される。梁状の撓み部の例を図１０に，保持部の例を図１１に示す。
するため，締結保持力が大きい。」（第【１５２】頁右欄７行ないし第【１５３】頁左欄１行）
（エ）「（ｅ）アニュラロック　アニュラロックは組立と保持の際に円筒状のうねとそれに対となった部分の撓みによるものである。アニュラロックはキャッチとエッジが円筒状に連なったものと考えることができる」（第【１５３】頁右欄第９〜１２行目）
イ　技術事項６
（オ）上記記載事項（ウ）の「カンチレバーロックは最も一般的なスナップフィットであり，図９に示すように，組立／分解を可能にするための撓み部と拘束するための保持部から構成される。梁状の撓み部の例を図１０に，保持部の例を図１１に示す。」なる記載に基づき、図面を参照するに、甲第６号証には、カンチレバーロックにおいて、“保持部が、先端に向かって下がる斜面を有する”ことが記載されている。
　上記記載事項（ア）ないし（エ）及び上記認定事項（オ）を、図面を参照しつつ技術常識を踏まえて整理すると、甲第６号証には、以下の技術事項６が記載されていると認める。
「先端に向かって下がる斜面を有する保持部と撓み部とを含むカンチレバーロック」
（７）甲第７号証
ア　甲第７号証に記載された事項
（ア）「【0017】
　
この一実施の形態の樹脂製のフランジ付き滑り軸受11は、ファクシミリ装置の紙送り機構の支持板12に貫通形成された円形の軸受挿通孔12aに嵌合する円筒状の筒部11aと、該筒部11aの基端部外周から半径方向外方に向かって張り出して設けられて前記支持板12への当接によって前記筒部11aの軸方向の位置決めを果たすフランジ11bと、筒部11aの外周に突出する弾性係止片11cとを、合成樹脂により一体成形したもので、筒部11aに挿通された軸を回転自在に支承する。
（８）甲第８号証
ア　甲第８号証に記載された事項
（ア）「本考案は軸受、特にその取付が容易な軸受に関するものである。
　軸受を低コストにて固定物に取付けるためには、板材や鋳物部等に最も加工の仕易い円筒形状の穴を穿け、そこに軸受を圧入し、接着し、又はカシメ或いはネジ等の締結手段を用いスラスト及び円周方向に固定する方法が一般的である。」（明細書第１頁１３ないし２０行）
（イ）「本考案に於いて第6図(a)、(b)に示すように回転軸用筒状軸受本体1の軸方向の一端部に均一肉厚のフランジ3を一体に形成し、フランジ3を除く筒状軸受本体1部分に円筒形スペース2の軸に平行に延びる水平の切り込み溝4を2ヶ所以上、円周方向に均等に配分して形成し、上記筒状軸受本体1の外周には上記フランジ3と反対側に前記溝4の位置に対応して軸方向に延びる断面山形の爪5を設ける。」（明細書第４頁１１ないし１９行）
（９）甲第９号証
ア　甲第９号証に記載された事項
（ア）「1は合成樹脂製の軸受であり、該軸受1は円筒部10と該円筒部10の一方の端部外周面に径方向外方に延設された鍔部11と該円筒部10の外周面に該外周面から鍔部11側に斜方向に延設された1つの舌片部12と該舌片部12の端部に該鍔部11側に向けて延設された係合片部13と該係合片部13に該鍔部11裏面との隙間t1、t2、t3を漸次縮小するように形成された複数個の段部14(本実施例においては3個)とを備えている。」（第２頁第４欄３６ないし４３行）
（イ）「上述した固定構造において、該軸受1は係止片部13が取付部材2の円孔20に連なって形成された切欠き溝22に係合することによりその円周方向の回転が阻止されて回り止め手段を形成し、また鍔部11裏面と係止片部13の段部14との隙間に該取付部材2を挟持することによりその軸方向の移動が阻止されて該軸受の抜け止め手段を形成する。」（第３頁第５欄２６ないし３２行）
（ウ）「第6図及び第7図は、本考案の第2の実施例を示すものである。
　この実施例は、取付部材2に円孔20と該円孔20に連なる切欠き溝22が相対向して2つ形成されており、軸受1の円筒部10の外周面には端部に係止片部13を備えた舌片部12が相対向して2つ形成されているものである。」（第３頁第５欄３３ないし３８行）
（１０）甲第１０号証
ア　甲第１０号証に記載された事項
（ア）「フレーム１にモールドベアリング４が矢印Ｂの方向に挿入される。モールドベアリング４の嵌合部分には５で示す爪が設けられており、モールドベアリング４が挿入される時、フレーム１の穴の縁で押されてモールドベアリング４の本体内に引っ込められるが、モールドベアリング４がフレーム１に押し付けられた時点で、爪５のバネ性により飛び出す。
　従ってモールドベアリング４を組立てる場合、モールドベアリング４をフレーム１に十分に押し込むのみで良い。」（明細書第４頁８ないし１８行）
（１１）甲第１１号証
ア　甲第１１号証に記載された事項
（ア）「第１図、第２図は本発明の一実施例の斜視図と、これをフレームに固定した時の断面図、第３図はその要部の断面図、第４図はこれに用いるロッカーの斜視図を示す。図において１は軸受本体、２は軸の貫通孔、３はフレームに固定するため軸受本体１の外周に設けられたフック部、４は該フック部３と軸の貫通孔２との間に設けられたロッカー５を挿入するための間隙である。
　このような軸受をフレーム６に固定するには、フレーム６の取付穴に本軸受フック部３の方向から挿入すれば、フック部３の傾斜部７と間隙４のためフック部３はたわみ簡単にフレーム６の穴に挿入でき、その後間隙４に第４図に示すロッカー５を挿入すれば軸受は固定される。」（第１頁右下欄１３行ないし第２頁左上欄６行）
（１２）甲第１２号証
ア　甲第１２号証に記載された事項
（ア）「【0002】
　中国医学では既に人体に分布し、各器官を反映するツボの存在を証明している。手や道具を使って人体にあるツボを押す、或いは人体の器官が痛みを感じる部分に対応するツボを押すことで、強く健康的な体を作り、美容や保健の目的に達するため、頻繁にツボマッサージをするのは、血液循環を促進し、新陳代謝を速め、元気を回復し、疲れを取り、ストレスを軽くする、ダイエットできるなど、素晴らしい効果をもたらす。」
（イ）「【0007】
　最良実施例として、各ローラーは接続部品、内柱、二つのベアリング、軸受及び、外カバーを具有し、各ローラー３の接続部品３１は球状ヘッド２２を通じて互いに嵌合して固定する。また、接続部品３１はハンドル２の軸を中心とするある角度に開いて、該二つのベアリング３３をそれぞれ軸受３４の両端に設置し、且つ二つのベアリング３３と軸受３４を同時に接続部品３１の外側に套設する。該内柱３２をしっかりと二つのベアリング３３及び軸受３４の外側に套設し、外カバー３５の中に、しっかりと内柱３２を嵌合することで、二つのベアリング３３、外カバー３５及び内柱３２が回転可能の構造となる。該ローラーの外カバーの表面に若干の磁石を嵌め込む。」
（１３）甲第１３号証の１
ア　甲第１３号証の１に記載された事項
　甲第１３号証の１には、次の事項が記載されている。なお、括弧内の日本語は、請求人による仮訳に準じたものである。
（ア）「
」
（（５７）要約
　本考案は、折り畳み式Ｙ字形構造のマッサージ棒に関する。半導体鉱物質を含むマッサージ具を使えば、皮膚の正負イオンを正常化に導き、皮膚に欠乏している負イオンを補い、しみ、しわ、くすみ、二重あご、首のしわ等の問題を解決することができる。本考案はハンドル、マッサージヘッド、および回転リンクからなり、ハンドルはリンクを介してマッサージヘッドと連結され、ハンドル下端に回転連結式調節ハンドルを内蔵し、ハンドル上端に凹状係止溝が開設されており、回転リンクの一端がハンドル上端の凹状係止溝内に係合しており、他端はマッサージヘッドの屈曲リンクと連結し、マッサージヘッドは、屈曲リンクおよび２組の軸受、軸スリーブ、マッサージローラ、および固定ねじを備え、軸受と軸スリーブが屈曲リンクの両端に固定設置され、その外部にマッサージローラを嵌接し、マッサージヘッドと、固定されたマッサージヘッドリンクとがＹ字形状をなす。健康、美容、マッサージ機能を一体化しており、便利に素早く操作・使用することができ、折り畳んで角度を切り替えてマッサージを行い、携帯するのに便利である。）
（イ）「
」
（【請求項１】
　折り畳み式Ｙ字形構造のマッサージ棒において、ハンドル（１）と、マッサージヘッド（２）と、回転リンク（３）とからなり、ハンドル（１）は折り畳み式回転リンク（３）を介してマッサージヘッド（２）と連結され、ハンドル（１）下端に回転連結式調節ハンドル（４）を内蔵し、ハンドル（１）上端に凹状係止溝が開設されており、回転リンク（３）の一端はねじＡ（５）とキャップＡ（６）およびキャップＢ（７）によりハンドル（１）上端の凹状係止溝内に係合され、他端はねじＢ（８）とキャップＣ（９）とを介してマッサージヘッドの屈曲リンク（１０）と連結され、マッサージヘッド（２）は、屈曲リンク（１０）および２組の軸受（１１）、軸スリーブ（１２）、マッサージローラ（１３）、および固定ねじ（１４）を備え、軸受（１１）と軸スリーブ（１２）は屈曲リンク（１０）の両端に固定設置され、その外部にマッサージローラ（１３）を嵌接し、マッサージヘッド（２）と、固定されたマッサージヘッドリンク（３）とがＹ字形状をなすことを特徴とする折り畳み式Ｙ字形構造のマッサージ棒。）
（ウ）「
」
（【０００４】
　本考案はハンドル、マッサージヘッド、および回転リンクからなる。ハンドルは折り畳み式回転リンクを介してマッサージヘッドと連結され、ハンドル下端に回転連結式調節ハンドルを内蔵し、ハンドル上端に凹状係止溝が開設されており、回転リンクの一端はねじＡとキャップＡおよびキャップＢによりハンドル上端の凹状係止溝内に係合し、他端はねじＢとキャップＣとを介してマッサージヘッドの屈曲リンクと連結され、マッサージヘッドは、屈曲リンクおよび２組の軸受、軸スリーブ、マッサージローラ、および固定ねじを備え、軸受と軸スリーブが屈曲リンクの両端に固定設置され、その外部にマッサージローラを嵌接し、マッサージヘッドと、固定されたマッサージヘッドリンクとがＹ字形状をなす。）
２　本件特許発明１について
（１）対比
　本件特許発明１と、引用発明１とを対比すると、引用発明１の「マッサージ器」が本件特許発明１の「美容器」に相当し、以下同様に、「グリップ１」が「ハンドル」に、「軸２」が「支持軸」に、「マッサージローラ４」が「回転体」に、「回動可能」が「回転可能」に、「軸支」が「支持」に、「マッサージ効果」が「美容的作用」に、「鞘３」が「軸受け部材」に、各々相当する。
　また、引用発明１の「隆起１０」は、本件特許発明１の「弾性変形可能な係止爪」と「突出係止部」である点において共通する。
　したがって、本件特許発明１と引用発明１とは、以下の点で一致しているということができる。
（一致点）
「基端においてハンドルに支持された支持軸と、
　前記支持軸の先端側に回転可能に支持された回転体とを備え、その回転体により身体に対して美容的作用を付与するようにした美容器において、
　前記回転体は基端側に穴を有し、回転体は、その内部に前記支持軸の先端が位置する状態で前記支持軸に軸受け部材を介して支持されており、
　軸受け部材は、前記回転体の穴とは反対側となる先端で支持軸に抜け止めされ、
　前記軸受け部材からは突出係止部が突き出るとともに、軸受け部材は突出係止部の前記基端側に鍔部を有しており、
　前記回転体は内周に突出係止部に係合可能な段差部を有し、前記段差部は突出係止部の前記基端側に係止されるとともに、前記突出係止部と前記鍔部との間に位置する、美容器。」
　そして、本件特許発明１と引用発明１とは、以下の点で相違している。
（相違点１）
　本件特許発明１においては、支持軸が、基端においてハンドルに抜け止め固定されているのに対して、引用発明１においては、軸２が、グリップ１に支持されているものの、基端においてグリップ１に抜け止め固定されているかが不明である点。
（相違点２）
　本件特許発明１においては、軸受け部材からは弾性変形可能な係止爪が突き出るとともに、同係止爪は前記先端側に向かうほど軸受け部材における回転体の回転中心との距離が短くなる斜面を有し、かつ、回転体の段差部が前記係止爪の前記基端側に係止されるものであるのに対して、引用発明１においては、鞘３から隆起１０が突き出るとともに、マッサージローラ４の段差部が隆起１０の基端側に係止されるものであるものの、隆起１０が弾性変形可能であるかが不明であり、かつ、隆起１０は、先端側に向かうほど軸受け部材における回転体の回転中心との距離が短くなる斜面を有するものではない点。
（相違点３）
　本件特許発明１においては、回転体が基端側にのみ穴を有し、かつ、回転体が、非貫通状態で支持軸に支持されているのに対して、引用発明１においては、マッサージローラ４が基端側及び先端側に穴を有し、かつ、マッサージローラ４が、貫通状態で軸２に支持されている点。
（２）相違点について判断
　上記相違点について検討するに、事案に鑑み、先に相違点２及び３について検討する。
ア　相違点２について
　技術事項３は、上記１（３）イのとおり、“プラグ２００から突き出た弾性変形可能な突起２０５を有するラッチアーム２０４が、モジュール１３０、１４０のラッチ凹部に係止して、ロックピン２４０にモジュール１３０，１４０を回転可能に支持する”構造に関するものである。
　また、甲第６号証には、スナップフィットにおけるロックの分類が示されており、その分類として「カンチレバーロック」及び「アニュラロック」が各々示されている（上記１（６）アの記載事項（ア）〜（エ）参照）。
　よって、甲第６号証によれば、スナップフィットとして、「アニュラロック」及び「カンチレバーロック」は共に代表的な構造の一つであり、かつ、技術事項３においては、マッサージ器の回転体を回転可能に軸支する構造として、甲第６号証における「カンチレバーロック」に類似した、「ラッチアーム２０４」を用いた構成が用いられていることが見て取れる。
　そして、甲第１号証においては、隆起１０が用いられる結合様態を「スナップ結合」と称しており（上記１（１）アの記載事項（ク）参照）、これは、技術事項６の「スナップフィット」と同義であると認められる。
　よって、引用発明１と技術事項３とは、共に、マッサージ器であり、かつ、「スナップ結合」により回転体を回転可能に支持する構成を有している点において、共通しているものである。
　しかしながら、引用発明１の隆起１０を、技術事項３の「ラッチアーム２０４」、あるいは、技術事項６の係止爪に置き換えることは、以下に列挙する理由により、当業者が容易に想到することができるものとは認められない。
（ア）引用発明１において、隆起１０とマッサージローラ４の段差部とが係合する状態にマッサージローラ４を配置する際に、マッサージローラ４を押し開けるものであり（上記１（１）アの記載事項（サ）を参照）、装着の際にマッサージローラ４が変形することは明らかである一方、隆起１０が変形するか否かについては不明である。
　よって、引用発明１における鞘３とマッサージローラ４との結合構造において、両者を結合した状態に配置する際には、隆起１０が変形するか否かにかかわらず、マッサージローラ４の変形が、主要な作用を果たすものであることは明らかである。
　一方、技術事項３におけるプラグと回転体モジュールとを結合させる際には、「ラッチアーム２０４」が変形するものであると認められる。
　よって、引用発明１における隆起１０と、技術事項３における「ラッチアーム２０４」とは、結合構造における役割が異なるものであるから、引用発明１における隆起１０を、技術事項３における「ラッチアーム２０４」に置き換えることには動機付けがなく、当業者が容易になし得るものではない。
　また、技術事項６の「カンチレバーロック」についても、技術事項３と同様であるから、引用発明１における隆起１０を、「カンチレバーロック」における係止爪に置き換えることにも、動機付けがなく、当業者が容易になし得るものではない。
（イ）上記（ア）のとおり、引用発明１においては、スナップ結合を行う際に、マッサージローラ４の変形が、主要な作用を果たすものであるところ、引用発明１の隆起１０を技術事項３のラッチアーム２０４又は技術事項６の係止爪に置き換えた場合、スナップ結合における内側、外側の双方の部材が、結合の際に主要な作用を果たす程度に大きな変形をするものとなり、結合した状態が外れやすいものとなることは明らかである。
　よって、引用発明１における隆起１０を、技術事項３のラッチアーム２０４又は技術事項６の係止爪に置き換えることにより、スナップ結合が有する物体の結合という機能が損なわれることとなるから、当該置き換えには阻害要因が存在するものと認められる。
　当該判断に関連して、審判請求書においては、“係止爪が変形しないように、マッサージローラの素材を選択することは、単なる設計事項にすぎない”旨の主張がされている（審判請求書第５３頁第６〜１３行目）。しかしながら、引用発明１におけるマッサージローラ４は、肌のマッサージを行うことを目的とするものであり（上記１（１）アの記載事項（オ）及び（コ）参照）、その本来の目的に適した硬さのゴムを採用することが自然であるところ、スナップ結合の状態を維持するために、上記本来の目的を損なってまで、マッサージローラ４の硬さ変更することは、当業者が容易に想到することができるものとは認められない。
　したがって、当該主張には理由がない。
（ウ）引用発明１は、マッサージローラ４が軸２に支持された状態において、軸２を外すことなく、マッサージローラ４を押し広げることにより、スナップ結合を解除して、マッサージローラ４のみを容易に交換できるものである（上記１（１）アの記載事項（キ）及び（コ）参照）。一方、技術事項３においては、ロックピンを外さないとスナップ結合が解除できないものであるから、軸を外すことなく、回転体のみを容易に交換することはできない。
　そのため、マッサージローラ４のみを容易に交換できるスナップ結合を有する引用発明１において、その構成を有しない技術事項３のスナップ結合の構成を採用することには、動機づけが存在しない。
　なお、甲第６号証に記載の事項を考慮しても、上記のとおりである以上、甲第６号証を用いない場合、上記と同様、引用発明１の隆起１０を、技術事項３の「ラッチアーム２０４」に置き換えることは、当業者が容易に想到することができるものとは認められない
　また、甲第７号証には、外周に突出する弾性係止片１１ｃを有する滑り軸受１１が記載されているが、上記と同様、引用発明１の隆起１０をこれらの係止爪に置き換えることは、当業者が容易に想到することができるものではない。
　甲第８号証ないし甲第１１号証についても同様である。
　よって、本件特許発明１の相違点２に係る事項は、甲第６号証ないし甲第１１号証の有無にかかわらず、引用発明１、技術事項３、又は、技術事項６から、当業者が容易に想到することができるものではない。
　また、当該相違点２に係る事項は、甲第２号証、甲第４号証、甲第５号証、甲第１２号証の１、及び、甲第１３号証の１のいずれにも記載されていない。
イ　相違点３について
　技術事項４は、上記１（４）イのとおり、「ローラ保持部４の先端側に回転自在に保持されたローラ部５を備え、ローラ部５により皮膚を刺激することができるようにした美容ローラにおいて、ローラ部５は、フェライトインジェクション磁石から形成され、ローラ部５は基端側にのみ穴を有し、ローラ部５は、その内部にローラ保持部４の先端が位置する非貫通状態でローラ保持部４にベアリング８を介して支持されていること。」に関するものである。
　技術事項５は、上記１（５）イのとおり、「連結軸１１の回転可能に支持されたローラー４を備え、ローラー４により身体に対して美容的作用を付与するようにした美顔用マッサージ器において、ローラー４はチタニウム製であり、ローラー４は基端側にのみ穴を有し、ローラー４は、その内部に連結軸１１の先端が位置する非貫通状態で連結軸１１にＬ型ベアリング１３及びベアリング１２を介して支持されていること。」に関するものである。
　引用発明１と技術事項４、５とは、共に、“回転体を軸受け部材を介して軸に支持するマッサージ器”に関するものである点で共通する。
　しかしながら、引用発明１は、マッサージローラ４が、柔軟に変形する中空ローラとして形成され、また、鞘と軸から突出する領域で内径が他の領域より大きいことにより、その自由端が特に容易く柔軟に変形可能とされている（上記１（１）アの記載事項（エ）、（キ））のに対して、甲第４号証には、ローラ部５がフェライトインジェクション磁石からなることが記載されており（上記１（４）アの記載事項（ア）及び（ウ））、また、甲第５号証には、ローラー４がチタニウム製であることが記載されている（上記１（５）アの記載事項（ア））ことより、技術事項４のローラ部５及び技術事項５のローラー４は、いずれも、その材質から見て、先端側が柔軟に変形可能ではないものであると認められる。
　よって、仮に、引用発明１において、技術事項４又は５の回転体を適用した場合、マッサージローラ４の先端部は、容易く柔軟に変形可能なものではなくなるから、引用発明１のマッサージローラ４の先端部が本来有している身体輪郭に適用することができるという効果（上記１（１）アの記載事項（オ））を低減することとなる。よって、当該適用は、マッサージローラ４が有する機能を損なうものであるため、その適用には阻害要因が存在する。
　また、甲第１号証には、「本発明の課題は、冒頭で述べた種類のマッサージ器を、マッサージローラで、怪我の危険性を生じさせずに、突起した身体部分に可能な限り近くに達することができるように形成することにある。」（上記１（１）アの記載事項（ウ））及び「マッサージローラが中空ローラから形成されており、弾性材料から成るため、その軸を超えて突出する自由端部は柔軟に変形されることができ、それによってマッサージローラは身体輪郭に適応することができ、それはマッサージの効果を改善し、急な方向転換を伴う、例えば鼻領域または眼窩の始まる領域などの主要部分に達する可能性を促進する」（上記１（１）アの記載事項（オ））と記載されており、また、その実施例として、自由端部である先端側に穴がある貫通状態のものが示されている（Ｆｉｇ．１参照）。そして、先端側を閉塞し非貫通状態とすることについての記載も示唆も無い。
　しかるに、引用発明１は、“自由端部が柔軟に変形されることができ、それによってマッサージローラ４が身体輪郭に適応することができる”なる効果を有するものであり、当該効果が、マッサージローラ４が先端側に穴を有する中空ローラである構成に起因していることは明らかであると認められる。
　よって、仮に、引用発明１において、技術事項４又は５の回転体の構造を適用して、マッサージローラ４を基端側にのみ穴を有し、内部に軸３の先端が位置する非貫通状態で支持されるものとした場合、マッサージローラ４の先端部が閉塞されることにより、その柔軟性が損なわれることは明らかであり、引用発明１のマッサージローラ４の先端部が本来有している身体輪郭に適用することができるという効果（上記１（１）アの記載事項（オ））を低減することとなる。よって、当該適用は、マッサージローラ４が有する機能を損なうものであるため、その適用には阻害要因が存在する。
　この点に関して、請求人は審判請求書にて、甲第１号証の１に「部材がグリップの反対側のマッサージローラの前端面を超えて突出することはない。」との構成を採用することで、「そのためマッサージローラをその自由前端面とともに直接突起する身体部分まで導くことができる」との作用効果を生じさせることが記載されていることを根拠として、“甲１発明ではマッサージローラ４の前端面から、軸２を突出させないということを主眼としている”と主張した上で、“支持軸の先端が回転体から露出していないという点において、甲第１号証並びに甲第４号証及び甲第５号証における課題及び解決手段は、共通しているため、その点が動機付けとなる。”と主張し（第５５頁２１ないし２３行）、また、平成３０年１月２６日付け口頭審理陳述要領書にて、“甲第１号証では、支持軸の露出による怪我を問題視しているのであるから、マッサージローラ４の先端部（自由端）を非貫通とすることについては、技術的意義が没却されるということにはならない”と主張している（第１７頁２ないし４行）。
　しかしながら、甲第１号証の１における、上記請求人主張に関する箇所（第１欄４３行ないし第２欄３行）には、上記記載に引き続き、「マッサージローラが中空ローラから形成されており、弾性材料から成るため、その軸を超えて突出する自由端部は柔軟に変形されることができ、それによってマッサージローラは身体輪郭に適応することができ、それはマッサージの効果を改善し、急な方向転換を伴う、例えば鼻領域または眼窩の始まる領域などの主要部分に達する可能性を促進する」なる作用効果も記載されているから、引用発明１は、“マッサージローラ４の前端面から、軸２を突出させないということ”のみを主眼としているとは認められず、“マッサージローラ４の自由端部が柔軟に変形されること”にも、技術的意義が認められるものである。
　そして、“マッサージローラ４の自由端部が柔軟に変形されること”なる、技術的意義を没却させてまで、技術事項４、５を適用することは、当業者が容易に想到することができるとは言うことはできない。
　上記のことより、本件特許発明１の相違点３に係る事項は、引用発明１及び技術事項４又は５から、当業者が容易に想到することができたものではない。
　また、当該相違点３に係る事項は、甲第２号証、甲第３号証の１、甲第６号証ないし甲第１１号証にも記載されていない。
　甲第１２号証、及び、甲第１３号証の１には、甲第４号証、甲第５号証と同じく、回転体が基端側のみに穴を有し、非貫通状態で支持軸に支持された構成が記載されている（甲第１２号証の【図２】及び【図４】、甲第１３号証の１の図１及び図３を参照）が、これらにおいても、回転体の先端側が柔軟に変形可能である旨の記載がないから、上記技術事項４、５についての検討と同様である。
ウ　小括
（ア）無効理由１について
　以上のことより、相違点１について検討するまでもなく、本件特許発明１は、引用発明１、甲第２号証、甲第１２号証又は甲第１３号証の１に記載された事項、技術事項３、及び、技術事項４又は５に基づいて、原出願前に当業者が容易に発明することができたものとは言えない。
（イ）無効理由２について
　以上のことより、相違点１について検討するまでもなく、本件特許発明１は、引用発明１、甲第２号証、甲第１２号証又は甲第１３号証の１に記載された事項、技術事項３、技術事項４又は５、及び、技術事項６に基づいて、原出願前に当業者が容易に発明することができたものとは言えない。
（ウ）無効理由３について
　以上のことより、相違点１について検討するまでもなく、本件特許発明１は、引用発明１、甲第２号証、甲第１２号証又は甲第１３号証の１に記載された事項、技術事項３、技術事項４又は５、技術事項６、及び、甲第７号証ないし甲第１１号証に記載された事項に基づいて、原出願前に当業者が容易に発明することができたものとは言えない。
３　本件特許発明２について
（ア）無効理由１について
　上記２（２）ウ（ア）のとおり、本件特許発明１が、引用発明１、甲第２号証、甲第１２号証又は甲第１３号証の１に記載された事項、技術事項３、及び、技術事項４又は５に基づいて、原出願前に当業者が容易に発明することができたものではない以上、本件特許発明１の特定事項を全て有しつつ更に限定したものである本件特許発明２についても、同じく、当業者が容易に発明することができたものではない。
（イ）無効理由２について
　上記２（２）ウ（イ）のとおり、本件特許発明１が、引用発明１、甲第２号証、甲第１２号証又は甲第１３号証の１に記載された事項、技術事項３、技術事項４又は５、及び、技術事項６に基づいて、原出願前に当業者が容易に発明することができたものではない以上、本件特許発明１の特定事項を全て有しつつ更に限定したものである本件特許発明２についても、同じく、当業者が容易に発明することができたものではない。
（ウ）無効理由３について
  上記２（２）ウ（ウ）のとおり、本件特許発明１が、引用発明１、甲第２号証、甲第１２号証又は甲第１３号証の１に記載された事項、技術事項３、技術事項４又は５、技術事項６、及び、甲第７号証ないし甲第１１号証に記載された事項に基づいて、原出願前に当業者が容易に発明することができたものではない以上、本件特許発明１の特定事項を全て有しつつ更に限定したものである本件特許発明２についても、同じく、当業者が容易に発明することができたものではない。
４　小括
　よって、無効理由１ないし３によっては、本件特許発明１ないし２に係る特許を無効とすることはできない。
第６　むすび
　以上のとおりであるから、請求人の主張する無効理由１ないし３及び提出した証拠方法によっては、本件特許発明１ないし２についての特許を無効にすることはできない。
　審判に関する費用については、特許法第１６９条第２項の規定で準用する民事訴訟法第６１条の規定により、請求人らが負担すべきものとする。
　よって、結論のとおり審決する。